(57)【要約】【課題】入力映像と出力映像との対応関係の設定をチャンネル固定時に選定することができ、しかも、このチャンネル固定の結果を容易に確認できるチャンネル固定機能とマルチ画面機能とを備えたテレビジョン受信装置を提供する。【解決手段】一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置であって、出力先の前記出力手段に対して出力可能な入力元の前記入力手段を選択し、該出力先と該入力先とを関連付けて前記経路として設定する出力設定受付手段、および、前記経路として設定されている前記出力先と関連付けられた前記入力元の一覧を表示させ、前記出力先と前記入力元の編集された関連付けを受け付けて、前記編集された関連付けを前記経路として更新する出力設定編集手段を備えるものである。【選択図】図２
2008078785.tif 000002
【特許請求の範囲】
【請求項１】
一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置であって、出力先の前記出力手段に対して出力可能な入力元の前記入力手段を選択し、該出力先と該入力先とを関連付けて前記経路として設定する出力設定受付手段を備えることを特徴とするテレビジョン受信装置。
【請求項２】
請求項１に記載のテレビジョン受信装置において、前記入力手段は、一つ以上のＴＶ放送、一つ以上のＩＰ放送および一つ以上の外部入力機器のうち少なくとも一つであることを特徴とするテレビジョン受信装置。
【請求項３】
請求項１または２に記載のテレビジョン受信装置において、前記出力手段は、一つ以上の外部出力機器のうち少なくとも一つであることを特徴とするテレビジョン受信装置。
【請求項４】
請求項１乃至３のいずれかに記載のテレビジョン受信装置において、前記出力設定受付手段は、前記受け付けた関連付けが全画面である場合、マルチ画面に表示されている全ての映像を前記入力元とすることを特徴とするテレビジョン受信装置。
【請求項５】
請求項１乃至３のいずれかに記載のテレビジョン受信装置において、前記出力設定受付手段は、前記受け付けた関連付けがマルチ画面のうちの指定画面である場合、該指定画面に表示される映像を前記入力元とすることを特徴とするテレビジョン受信装置。
【請求項６】
請求項１乃至３のいずれかに記載のテレビジョン受信装置において、前記出力設定受付手段は、前記受け付けた関連付けが、操作対象の画面に表示されている映像を入力している前記入力手段である場合、前記入力手段を前記入力元とすることを特徴とするテレビジョン受信装置。
【請求項７】
請求項１乃至３のいずれかに記載のテレビジョン受信装置において、前記出力設定受付手段は、前記受け付けた関連付けが操作対象の画面である場合、操作対象の画面に表示されている映像を前記入力元とすることを特徴とするテレビジョン受信装置。
【請求項８】
請求項１乃至７のいずれかに記載のテレビジョン受信装置において、前記経路として設定されている前記出力先と関連付けられた前記入力元との一覧を表示させ、前記出力先と前記入力元の編集された関連付けを受け付けて、前記編集された関連付けを前記経路として更新する出力設定編集手段を備えることを特徴とするテレビジョン受信装置。
【請求項９】
請求項８に記載のテレビジョン受信装置において、前記出力設定編集手段は、前記編集した関連付けが全画面である場合、今までの経路を切断して、マルチ画面に表示されている全ての映像を前記入力元として前記出力先へ出力することを特徴とするテレビジョン受信装置。
【請求項１０】
請求項８に記載のテレビジョン受信装置において、前記出力設定編集手段は、前記編集された関連付けがマルチ画面のうちの指定画面である場合、今までの経路を切断して、該指定画面に表示される映像を前記入力元とすることを特徴とするテレビジョン受信装置。
【請求項１１】
請求項８に記載のテレビジョン受信装置において、前記出力設定編集手段は、前記編集された関連付けが指定された前記入力手段である場合、今までの経路を切断して、指定された前記入力手段を前記入力元とすることを特徴とするテレビジョン受信装置。
【請求項１２】
請求項８に記載のテレビジョン受信装置において、前記出力設定編集手段は、前記編集された関連付けが操作対象の画面である場合、今までの経路を切断して、前記操作対象の画面に表示されている映像を前記入力元とすることを特徴とするテレビジョン受信装置。
【請求項１３】
一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置であって、前記経路として設定されている前記出力先と関連付けられた前記入力元の一覧を表示させ、前記出力先と前記入力元の編集された関連付けを受け付けて、前記編集された関連付けを前記経路として更新する出力設定編集手段を備えることを特徴とするテレビジョン受信装置。
【請求項１４】
一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置のチャンネル固定方法であって、出力先の前記出力手段に対して出力可能な入力元の前記入力手段を選択し、該出力先と該入力先とを関連付けて前記経路として設定することを特徴とするテレビジョン受信装置のチャンネル固定方法。
【請求項１５】
請求項１４に記載のテレビジョン受信装置のチャンネル固定方法において、前記経路として設定されている前記出力先と関連付けられた前記入力元の一覧を表示させ、前記出力先と前記入力元の編集された関連付けを受け付けて、前記編集された関連付けを前記経路として更新することを特徴とするテレビジョン受信装置のチャンネル固定方法。
【請求項１６】
一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置のチャンネル固定方法であって、前記経路として設定されている前記出力先と関連付けられた前記入力元の一覧を表示させ、前記出力先と前記入力元の編集された関連付けを受け付けて、前記編集された関連付けを前記経路として更新することを特徴とするテレビジョン受信装置のチャンネル固定方法。
【請求項１７】
請求項１乃至１３のいずれかに記載のテレビジョン受信装置の各手段としてコンピュータを機能させるためのプログラム。
【請求項１８】
コンピュータが読み取り可能な記録媒体であって、請求項１７に記載のプログラムを記録したことを特徴とする記録媒体。
【発明の詳細な説明】
【技術分野】
【０００１】
本発明は、チャンネル固定機能を備えたテレビジョン受信装置に関し、特に、多チャンネル化、多チューナ化、多画面化が進むテレビジョン受信装置において、入力映像と出力映像との対応関係の設定をチャンネル固定時に選定することができ、しかも、このチャンネル固定の結果を容易に確認できるチャンネル固定機能を備えたテレビジョン受信装置に関する。
【背景技術】
【０００２】
衛星放送受信機能が内蔵されているテレビジョン受信装置では、使用者が任意のチャンネルを選局した状態を固定するチャンネル固定機能を備えているのが一般的である。
例えば、ＢＳ放送についてチャンネル固定を設定している場合には、そのチャンネルの視聴中に他のＢＳ放送チャンネルの選局動作を行うと、視聴画面に「チャンネル固定中」と表示され、使用者が行った選局はキャンセルされることになる。
【０００３】
また、使用者が他の衛星放送や地上波のチャンネルを選局したり、テレビジョン受信装置の電源をＯＦＦにしたりしても、ＢＳ放送受信機能は固定されたＢＳ放送チャンネルを受信し続けるので、例えば、チャンネル固定したＢＳ放送チャンネルをバックグラウンドで録画させておくこともできる。
【０００４】
ＢＳ放送受信機能を内蔵したテレビジョン受信装置において、ＢＳ放送チャンネルのチャンネル固定を設定するには、通常、ＢＳ放送チャンネルを選局して視聴画面に受像した後、そのチャンネルを視聴している状態で、チャンネル固定を設定する。使用者は、視聴画面に表示されるメニューやリモートコントローラ（以下、「リモコン」と略す）などを操作してこれらの設定を行うことができる。一方、チャンネル固定を解除するには、視聴画面を固定したＢＳ放送チャンネルに切り替えてから、メニューやリモコンなどを操作してチャンネル固定の解除を行うことができるようになっている。
【０００５】
ところで、今日のテレビジョン受信環境は、現在、全国で視聴されているアナログ地上放送に代わる新しい地上デジタル放送に加えて、既にサービスが開始されているＢＳデジタル放送やＣＳデジタル放送などの放送ネットワークなどの存在により、放送の多チャンネル化が進みつつある。
【０００６】
また、他方では、ケーブルテレビジョン放送や、ブロードバンド回線によるインターネット接続を利用したオンライン動画配信などの普及が進んでおり、パーソナルコンピュータのハードディスク装置やＤＶＤプレイヤなどに記録されている動画などのコンテンツをテレビジョン受信装置において再生することも可能となっている。
【０００７】
このような情勢下において、さまざまなメディアから提供される多種多様なＴＶ番組や映像、情報サービスを享受するため、最近では、多チューナ化がはかられるとともに、大型のディスプレイに同時に複数の画面を開き、その各々の画面に異なる入力ソース（放送サービス、アナログ／デジタルビデオ、ハードディスクレコーダ、ＤＶＤプレイヤ、オンライン配信コンテンツなど）を割り当てる多画面化がはかられ、さらに、これらの複数の入力ソースのうちから使用者の要望にしたがって、画面に出力するだけでなく複数の出力媒体に出力がなされることもある。
【０００８】
しかしながら、上記のようなテレビジョン受信装置の多チャンネル化、多チューナ化、多画面化が進むにともない、使用者が選局し視聴できるチャンネル数が増大し、視聴・録画のスタイルが多様化する中で、テレビジョン受信装置が備える複数のチューナのそれぞれに対して選局を行うことになるため、使用者が各チューナの現在の選局状態を全て把握しきれなくなってしまうような状況が生じている。
【０００９】
このような問題点を解決するために、特許文献１の技術では、放送を選局し受信する１以上の受信処理部と、該受信信号をＡ／Ｖ信号に変換する１以上の信号処理部と、該Ａ／Ｖ信号を出力する１以上の出力制御部とを備えたテレビジョン受像機において、前記受信処理部、記信号処理部及び前記出力制御部を組み合わせてなる１以上の受信経路を固定し記憶するチャンネル固定情報管理手段を備え、前記記憶したチャンネル固定情報を変更するチャンネル固定設定手段と、前記記憶したチャンネル固定情報を参照するチャンネル固定検索手段と、前記参照したチャンネル固定情報を視聴画面に表示するチャンネル固定情報表示手段と、使用者が前記視聴画面に表示したチャンネル固定情報に含まれる受信経路のうち１つを選択した場合には、当該受信経路において取得されるＡ／Ｖ信号を視聴画面に出力させる視聴映像切り替え手段をさらに備えている。
これにより、チャンネル固定機能を備えた多チャンネル、多チューナ対応のテレビジョン受像機で、現在設定しているチャンネル固定状態の表示や変更などを簡易な操作で行うことができる。
【特許文献１】特開２００５−２６８２１号公報
【発明の開示】
【発明が解決しようとする課題】
【００１０】
しかしながら、上記の特許文献１では、選局を固定したチャンネルを一覧表示できるようにしているが、多画面、多チューナを備えたテレビジョン受信装置では、どの映像が外部出力されているのか非常にわかりにくい。例えば、従来では、出力設定をモニタとすると、表示されている２画面のうちアクティブな画面の映像が出力されてしまっていた。
したがって、従来では、選局の固定とは関係なく、どのように設定にしておくと、どのようなルールに基づいて、どの外部出力端子からどの映像が出力されるのかが分かりにくいインタフェースとなっている。
【００１１】
本発明は、上述した実情を考慮してなされたものであって、入力映像と出力映像との対応関係の設定をチャンネル固定時に選定することができ、しかも、このチャンネル固定の結果を容易に確認できるチャンネル固定機能を備えたテレビジョン受信装置を提供することを目的とする。
【課題を解決するための手段】
【００１２】
上記の課題を解決するために、本発明のテレビジョン受信装置は、次のような構成を備えるものである。
テレビジョン受信装置は、一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置であって、出力先の前記出力手段に対して出力可能な入力元の前記入力手段を選択し、該出力先と該入力先とを関連付けて前記経路として設定する出力設定受付手段を備え、さらに、前記経路として設定されている前記出力先と関連付けられた前記入力元の一覧を表示させ、前記出力先と前記入力元の編集された関連付けを使用者から受け付けて、前記編集された関連付けを前記経路として更新する出力設定編集手段を備えるものである。
【００１３】
ここで、前記入力手段は、一つ以上のＴＶ放送、一つ以上のＩＰ放送および一つ以上の外部入力機器のうち少なくとも一つである。
また、前記出力手段は、一つ以上の外部出力機器のうち少なくとも一つである。
【００１４】
前記出力設定受付手段では、前記受け付けた関連付けが、
（１）全画面である場合、マルチ画面に表示されている全ての映像を前記入力元とする。
（２）マルチ画面のうちの指定画面である場合、前記指定画面に表示される映像を前記入力元とする。
（３）操作対象の画面に表示されている映像を入力している前記入力手段である場合、前記入力手段を前記入力元とする。
（４）操作対象の画面である場合、操作対象の画面に表示されている映像を前記入力元とする。
【００１５】
前記出力設定編集手段では、前記編集した関連付けが、
（１）全画面である場合、今までの経路を切断して、マルチ画面に表示されている全ての映像を前記入力元として前記出力先へ出力する。
（２）マルチ画面のうちの指定画面である場合、今までの経路を切断して、該指定画面に表示される映像を前記入力元とする。
（３）指定された前記入力手段である場合、今までの経路を切断して、指定された前記入力手段を前記入力元とする。
（４）操作対象の画面である場合、今までの経路を切断して、前記操作対象の画面に表示されている映像を前記入力元とする。
【００１６】
また、テレビジョン受信装置のチャンネル固定方法は、一つ以上の入力手段と、一つ以上の出力手段を備え、前記入力手段および前記出力手段を組み合わせた経路を一つ以上固定することが可能なチャンネル固定機能とマルチ画面機能とを備えたテレビジョン受信装置のチャンネル固定方法であって、出力先の前記出力手段に対して出力可能な入力元の前記入力手段を選択し、該出力先と該入力先とを関連付けて前記経路として設定し、また、前記経路として設定されている前記出力先と関連付けられた前記入力元との一覧を表示させ、前記出力先と前記入力元の編集された関連付けを使用者から受け付けて、前記編集された関連付けを前記経路として更新するものである。
【００１７】
また、上述した構成のテレビジョン受信装置の出力設定受付手段や出力設定編集手段として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１８】
本発明によれば、チャンネル固定時に、画面（映像）を選択してから出力先を関連付けるので、使用者がどの端子からどの映像を出力させるのかを意識しながら選択することができる。
さらに、複数ある出力先に今何が出力されているかを一覧表示できるので、今どの端子からどの映像が出ているのかを容易に確認することができる。
【発明を実施するための最良の形態】
【００１９】
以下、図面を参照して本発明のテレビジョン受信装置に係る好適な実施形態について説明する。
図１は、本発明のテレビジョン受信装置に係る実施形態の内部構成を概略的に示す機能ブロック図であり、図１において、本実施形態に係るテレビジョン受信装置１０は、主制御部１１、記憶部１２、リモコン受信部１３、入力部１４、デコーダ１５、出力制御部１６、音声出力部１７、映像出力部１８、ＯＳＤ制御部１９、外部出力２０から構成される。
【００２０】
主制御部１１は、当該テレビジョン受信装置１０における全体制御を行うものであるが、特にこの発明に係る処理として、後述するように、入力映像と出力映像の固定処理を実行する。
記憶部１２は、電源を切られたときにも保持する情報（例えば、当該テレビジョン受信装置の処理機能を果たすソフトウェアやデータ等）を保持するときには不揮発性メモリ（例えば、ＲＯＭ（Read Only Memory）、ＥＥＰＲＯＭ（Electrically Erasable and Programming ROM）、フラッシュメモリやハードディスクなど）を用い、ソフトウェアの処理のときに一時的格納される情報には揮発性メモリ（例えば、ＲＡＭ（Random Access Memory））を用いる。
【００２１】
リモコン受信部１３は、視聴者からの指示を入力するためのリモートコントローラ（以下「リモコン」と略す）とのインタフェース部であり、リモコンから受信した光信号を受信し、受信した光信号を復調して通信データを取得して主制御部１１に送る。
【００２２】
入力部１４は、ＴＶチューナ１４ａ、ＩＰ放送チューナ１４ｂ、および外部入力１４ｃ等の任意個数の組み合わせからなっている。
ＴＶチューナ１４ａは、例えば、ＢＳ／ＣＳデジタルチューナ、地上デジタルチューナや地上波放送用チューナ等であり、アンテナで受信した放送信号はそれぞれのチューナに分配されて受信される。ＴＶチューナ１４ａは、主制御部１１から受信した選局信号に基づいて、所定の周波数チャンネルの放送を選局・受信し、受信信号を主制御部１１によって制御された接続可能なデコーダ１５へ出力する。
【００２３】
ＩＰ放送チューナ１４ｂは、インターネットを通じてオンライン配信されたコンテンツを再生したときの再生信号を処理し、主制御部１１によって制御された接続可能なデコーダ１５へ出力する。
外部入力１４ｃは、例えば、外部接続されたハードディスクレコーダやＤＶＤプレイヤなどからの再生信号を入力するための、当該テレビジョン受信装置が備える端子である。この端子に接続された外部機器からの入力信号を処理し、主制御部１１によって制御された接続可能なデコーダ１５へ出力する。
【００２４】
デコーダ１５は、入力部１４によって選局された放送波に多重化された音声信号、映像信号およびＥＰＧデータ信号をそれぞれ分離し、音声信号の場合には復号した音声データをデジタル音声信号として出力制御部１６に出力する。また、映像信号の場合には、復号して量子化係数や動きベクトルを求め、逆離散コサイン変換や動きベクトルに基づく動き補償制御などを行って、デジタル映像信号として出力制御部１６に出力する。
このＥＰＧデータ信号には、例えば、放送局名、チャンネル番号、番組名、放送時間帯（開始日、開始時刻、番組の長さ）、番組内容（出演者、あらすじ等）などの各番組に関する情報が含まれている。
このデコーダ１５は、１種類とは限らず、少なくとも入力部１４が備える各種のチューナが選局した放送波や外部入力からの映像情報をデコードできなければならないため、チューナの種類以上の個数を備え、同時に動作するための個数が備えられている。
【００２５】
ＯＳＤ制御部１９は、視聴チャンネル、現在時刻、音量、各種設定画面などのＯＳＤ表示データを主制御部１１から受信し、視聴画面上に表示可能な形態として出力制御部１６に出力する。
【００２６】
出力制御部１６は、デコーダ１５で復号されたデジタル音声信号をＤ／Ａ変換し、例えば右（Ｒ）音のアナログ信号及び左（Ｌ）音のアナログ信号を生成して、例えばスピーカなどの音声出力部１７に出力する。
また、出力制御部１６は、デコーダ１５で復号されたデジタル映像信号をＤ／Ａ変換し、例えばコンポジット映像信号に変換して、さらに、ＯＳＤ制御部１９から番組表の画面やメニュー画面を出力するように指定されたときには、この変換された映像信号に番組表の画面情報やメニュー画面情報等を重畳した映像信号を生成して、例えば液晶ディスプレイなどの映像出力部１８に出力する。
【００２７】
ここで、出力制御部１６は、映像出力部１８の視聴画面上に２種類以上の異なる映像を表示することができる。その表示形態については様々なものが考えられるが、例えば、異なる映像に対応する個数のサブ画面に分割して表示するものがある。このとき、音声出力部１７が出力する音声は、現在使用者の操作対象となっているサブ画面（これをアクティブなサブ画面という）に出力されている映像に対応するものとする。
【００２８】
また、出力制御部１６は、ハードディスクレコーダなどの外部出力機器に接続するための当該テレビジョン受信装置が備える端子である外部出力２０を介して、デコーダ１５から出力される出力信号を外部出力機器に記録する。尚、外部出力２０は１つの端子とは限らず、複数種類の外部出力機器に対応するものであっても、あるいは同一種類の複数の外部出力機器に対応するものとしても構わない。
【００２９】
本実施形態のテレビジョン受信装置では、入力元および出力先の組み合わせを固定することができる。
例えば、放送波を受信する放送チャンネルと、その受信した放送波を録画するハードディスクレコーダを外部接続する外部入力端子とを固定する場合を考える。
使用者が録画するチャンネルを選局してチャンネルを固定すると、テレビ放送の場合には、このテレビ放送に対応したＴＶチューナ１４ａおよびデコーダ１５が固定され、さらに、受信したＴＶ放送波を出力するハードディスクレコーダを接続する外部出力２０が固定されて、入出力の経路が設定される。ＴＶチューナやデコーダのうちいずれが利用されるかについては、主制御部１１が自動的に決定してもよいし、使用者操作によって選択されるようにしてもよい。
【００３０】
あるいは、入力元をＩＰ放送や外部入力とした場合には、これらの入力元に対応されたＩＰ放送チューナ１４ｂや外部入力１４ｃ、およびデコーダ１５が選択固定され、さらに、出力先の外部出力２０が固定されて、入出力の経路が設定される。
このように、入出力先の固定が設定されると、主制御部１１はその設定情報を記憶部１２に記憶し、所定の解除操作が行われない限りは、固定した経路が変更されることないよう、各チューナ、各デコーダおよび各外部出力への動作を制御する。
【００３１】
尚、当該テレビジョン受信装置では、入出力を固定している状態で使用者が電源をＯＦＦにしようと操作すると、装置全体の電源はＯＦＦにせず、入出力の固定を保持するための必要な電力供給を維持したまま他の部分への電力供給をＯＦＦにしたスタンバイ状態となるように主制御部１１により制御されるものとする。
【００３２】
次に、本実施形態のテレビジョン受信装置において、入出力の経路を固定する機能について説明する。この機能は、使用者がリモコンのボタンやＯＳＤメニュー操作を操作して利用することができるものであり、主制御部１１内の出力設定部により提供されるものである。
【００３３】
図２は、主制御部１１内の出力設定部１１０の内部構成を概略的に示すブロック図である。同図において、出力設定部１１０は、出力設定受付部１１１、アクティブ画面記憶部１１２、画面情報テーブル１１３、出力設定情報テーブル１１４、出力設定編集部１１５からなっている。
【００３４】
まず、チャンネル固定に使用するデータについて説明する。これらのデータは記憶部１２に記憶され、管理される。
アクティブ画面記憶部１１２は、使用者が現在操作対象としているアクティブなサブ画面がいずれであるかを記憶する。
例えば、図３のようにテレビジョン受信装置の画面全体を、（１）１分割した１つのサブ画面、（２）２分割した２つのサブ画面、（３）４分割した４つのサブ画面、として、各サブ画面について固有の番号あるいは名称を与えておく。本実施形態では、左から右へ、さらに、上から下へ向かって順番に番号を振るものとする。図３（Ｃ）では、左上のサブ画面をサブ画面１、右上のサブ画面をサブ画面２、左下のサブ画面をサブ画面３、右下のサブ画面をサブ画面４とすることを使用者へ操作マニュアル等で周知させておく。
画面全体を４画面以上に分割したときも、同様な順番に番号を振るものとする。
そして、アクティブ画面については、これに対応するサブ画面が他のサブ画面とは区別が付くように表示される。
【００３５】
画面情報テーブル１１３は、テレビジョン受信装置の各サブ画面に対して、図４に例示したように、次の３つの情報を記憶する。
（１）表示／非表示のフラグ：サブ画面に映像が出力されているときには、表示フラグがＯＮとなり、サブ画面に映像が出力されていないときには、表示フラグがＯＦＦとなっている。
（２）信号処理系統：受信処理系統からの入力信号を処理するデコーダおよび信号処理部を記憶する。
（３）選局・受信処理系統（選局内容）：受信経路に含まれるアンテナおよびチューナを記憶する。
尚、図４において、「−」で示されているところは、設定されていないという意味である。
【００３６】
図４にて、サブ画面１では、放送波をＴＶチューナ１で受信し、デコーダ１で分離してサブ画面１にその内容を表示することを示している。また、サブ画面３では、インターネットを介して受信したＩＰ放送をＩＰ放送チューナで受信し、デコーダ４で分離してサブ画面３に出力することを示し、サブ画面４は放送の受信がないことを示している。
【００３７】
出力設定情報テーブル１１４は、テレビジョン受信装置の各出力系統に対して、図５に例示したように、次の３つの情報を記憶する。
（１）設定内容：出力系統に出力する内容の区分を記憶する。この区分には、次のような４つがある。
「全画面」：全サブ画面に表示されている放送内容が出力され、電源のＯＦＦにより出力はされなくなる。
「この画面」：指定されたサブ画面に表示されている放送内容が出力され、指定されたサブ画面がなくなったり、電源がＯＦＦになると出力されなくなる。
「この局」：指定されたサブ画面に対応する入力部１４で受信されている内容が出力されるが、サブ画面がなくなっても電源がＯＦＦとなっても出力は続けられる。
「アクティブ画面」：アクティブとなっているサブ画面に対応する放送内容が出力され、電源がＯＦＦになるとアクティブ画面がなくなるので出力されなくなる。
【００３８】
（２）信号処理系統：受信処理系統からの入力信号を処理するデコーダおよび信号処理部を記憶する。
（３）選局・受信処理系統（選局内容）：受信経路に含まれるアンテナおよびチューナを記憶する。
尚、図５において、「−」で示されているところは、設定されていないという意味である。
【００３９】
図５の例では、出力１に対しては、表示されている全サブ画面の放送内容が出力される。図４の例では、サブ画面１、サブ画面２およびサブ画面３に表示されている全ての内容が出力１の出力系統へ出力される。また、出力３の出力系統には、表示されている画面とは関係なく、地上デジタルの０１１チャンネルの放送をＴＶチューナ３で受信し、デコーダ３で分離した内容が出力される。
【００４０】
次に、本実施形態における選局操作について説明する。
まず、使用者はリモコンの操作画面ボタンを押して、放送を表示するサブ画面の中からアクティブ画面を選択すると、主制御部１１は、選択されたサブ画面の番号をアクティブ画面記憶部１１２に記憶する。
さらに、使用者がアクティブなサブ画面において、所望する放送（ＴＶ放送やＩＰ放送）あるいは外部入力機器を入力元として指定する。
主制御部１１では、画面情報テーブル１１３および出力設定情報テーブル１１４を参照して、この指定された入力元を処理するチューナやデコーダに空きがあるかを判断する。
【００４１】
例えば、この判断は、アクティブなサブ画面でＢＳ１０１ｃｈを選局しようとしたときに、既に、出力設定情報テーブル１１４の出力先ＸにＢＳ１０３ｃｈが設定されており、しかもＢＳチューナが一つしかない場合、あるいは、処理可能なデコーダの空きがない場合などを調査するものである。
また、同様に、ＢＳチューナが一つしかないときに、画面情報テーブル１１３を参照して、別のサブ画面においてＢＳ放送の異なるチャンネルが選局されていないかも調査する。
【００４２】
そして、主制御部１１は、この調査で指定された入力元が処理できない場合には、表示あるいは音声によってコーションを通知する。また、この調査で指定された入力元が処理できる場合には、画面情報テーブル１１３に、アクティブなサブ画面に対応して、選局・受信処理系統（チューナ）、信号処理系統（デコーダ）および表示中のフラグを設定する。
【００４３】
その後、使用者は、入力中の放送内容を外部出力機器へ出力したいときには、リモコンの出力設定ボタンを押す。
主制御部１１は、リモコンの出力設定ボタンが押されたことを検知して、出力設定受付部１１１を起動する。
出力設定受付部１１１は、アクティブ画面記憶部１１２を参照して、アクティブ画面上に図６で例示するような出力設定メニューを表示する。
この出力設定メニューには、当該テレビジョン受信装置に接続可能な外部出力の端子にそれぞれ対応した出力先名（例えば、ＤＶＤ、ハードディスク、ＩＥＥＥ１３９４、ＴＣＰ／ＩＰ等）のリストが表示される。ここで、出力先名が既に設定されている場合には、選択できないような表示、あるいは、既設定であることを識別可能（チェックを表示する）に表示してもよい。
【００４４】
利用者がリモコンを操作して、この出力先リストの中から所望の出力先を選択すると、出力先の名前が「（出力先名）」から「（出力先名）に」と変わり、更に、入力元の区分が表示され、そのリストの中から選択させる。この入力元の区分のリストは、先に説明した「全画面を」、「この画面を」、「この局（入力）を」、「アクティブ画面を」を並べてリストとしたものである。
【００４５】
利用者がリモコンを操作して、この入力元の区分のリストの中から所望の区分を選択すると、入力元の区分が「（入力元）を」から「（入力元）を出力する」と変わる。使用者が「（出力先名）に（入力元）を出力する」という表示状態でリモコンとの通信を終了させるか、あるいは、決定ボタンを押すと、出力設定受付部１１１は、使用者が「出力先」と「入力元の区分」を選択したものと判断して、出力設定情報テーブル１１４に、「出力先」の出力系統に対して設定内容として「入力元の区分」を設定し、主制御部１１へ設定完了信号を送る。
【００４６】
次に、本実施形態の出力設定の動作を図７のフローチャートを用いて説明する。
まず、テレビジョン受信装置に電源が入れられると、電源がＯＦＦとなる前に選局されていた放送局が放送している番組を全画面に表示する（ステップＳ１）。
使用者に電源が切られるまで、以下の処理を繰り返す（ステップＳ２）。
【００４７】
使用者からリモコンによって、何らかの操作指示がなされるまで待ち（ステップＳ３）、画面分割の指示の場合には、指定された数のサブ画面に分割し、画面情報テーブル１１３の画面数を現在表示可能なサブ画面数に変更する（ステップＳ４）。
さらに、複数のサブ画面の中からアクティブな画面がリモコンによって指定されると、アクティブ画面記憶部１１２にこのサブ画面の番号を記憶させる（ステップＳ５）。
【００４８】
さらに、使用者がアクティブなサブ画面において、所望する放送（ＴＶ放送やＩＰ放送）あるいは外部機器を入力元として指定すると、主制御部１１では、画面情報テーブル１１３および出力設定情報テーブル１１４を参照して、この指定された入力元を処理するチューナやデコーダに空きがあるかを判断し、指定された入力元が処理できない場合には、表示あるいは音声によってコーションを通知し、処理できる場合には、画面情報テーブル１１３に、アクティブなサブ画面に対応して、選局・受信処理系統（チューナ）、信号処理系統（デコーダ）および表示中のフラグを設定する（ステップＳ６）。
【００４９】
その後、使用者がリモコンの出力設定ボタンを押すと、主制御部１１では、リモコンの出力設定ボタンが押されたことを検知して、アクティブ画面記憶部１１２を参照して、アクティブ画面上に図６で例示するような出力設定メニューを表示する（ステップＳ７）。この出力設定メニューには、当該テレビジョン受信装置に接続可能な外部出力の端子にそれぞれ対応した出力先名（例えば、ＤＶＤ、ハードディスク、ＩＥＥＥ１３９４、ＴＣＰ／ＩＰ等）のリストが表示され、利用者がリモコンを操作して、この出力先リストの中から所望の出力先を選択し、入力元の区分のリスト（「全画面を」、「この画面を」、「この局（入力）を」、「アクティブ画面を」）から選択させる。
【００５０】
利用者がリモコンを操作して、この入力元の区分のリストの中から所望の区分を選択すると、出力設定情報テーブル１１４に、「出力先」の出力系統に対する「設定内容」として「入力元の区分」を設定し（ステップＳ８）、次の操作状況を判断するためにステップＳ２へ戻る。
【００５１】
次に、既に出力設定がなされた状態を編集する場合について説明する。
使用者がリモコンの機能メニューボタンを押して、当該装置の表示画面に表示されたメニューの中から出力設定編集機能を選択する。
主制御部１１では、出力設定編集機能が選択されたことを検知すると、出力設定編集部１１５を起動する。
【００５２】
出力設定編集部１１５は、当該装置の画面上に図８で例示するような出力設定一覧画面を表示する。
図８に示したように、出力設定一覧画面には、出力設定情報テーブル１１４を参照して、当該テレビジョン受信装置に接続可能な外部出力の端子にそれぞれ対応した出力先名（例えば、ＤＶＤ、ハードディスク、ＩＥＥＥ１３９４、ＴＣＰ／ＩＰ等）とその設定内容を対として一覧が表示される。
【００５３】
図８において、「出力１」の出力先には当該装置に表示されている全てのサブ画面の映像を出力し、「出力２」の出力先にはサブ画面の画面番号「画面２」に表示されている映像を出力し、「出力３」の出力先には地上デジタル放送の０１１チャンネルの放送内容を出力し、「出力４」の出力先には現在アクティブな画面に表示されている映像を出力するものとして設定されている。
また、「出力先」に出力設定がなされていない場合には、メニューには設定内容が表示されず空白が表示される。
【００５４】
この出力設定一覧画面に表示された「出力先名」に対応する「入力元の区分」を変更したいときには、使用者がリモコンを操作して、変更したい「出力先名」を一覧表の中から選択し、リモコンの変更ボタンを押す。
出力設定編集部１１５は、変更ボタンが押されたことを検知して、当該装置の画面上に図９に例示するような設定確認画面を表示する。
例えば、「出力４」の出力先に設定がないときには、図８で「アクティブ画面」のかわりに空白が表示される。
【００５５】
図９において、１行目は選択された「出力先名」が表示される。
２行目は、現在設定された出力設定内容を解除する選択肢である。この選択肢は、この「出力先名」に出力設定が行われていない場合には、選択できないように表示される。
３行目から６行目は、「入力元の区分」と選択状況を表すチェック欄とからなっている。
このチェック欄は、「出力先名」に対して選択されている「入力元の区分」を表す行には、チェックマーク（レ）が表示され、選択されていなければ空白が表示される。
【００５６】
３行目の「全画面」は、当該装置の画面に表示されている全てのサブ画面の内容が入力元となる。
４行目の「指定画面」は、この行に表示された画面番号に表示される内容が入力元となる。この４行目が選択状態のときには、出力対象のサブ画面の画面番号が表示され、選択状態にないときには、「指定画面」の文字列が表示される。また、４行目の「指定画面」をリモコン操作によって選択すると、指定できる画面番号のリストが表示されるので、その中から選択することによって画面番号を変更することができる。
５行目の「指定入力元」は、この行に表示された放送局や外部入力から入力されている内容が入力元となる。この５行目が選択状態のときには、放送局や外部入力の名前が表示され、選択状態にないときには、「指定入力元」という文字列が表示される。また、５行目の「指定入力元」をリモコン操作によって選択すると、指定できる、放送局や外部入力のリストが表示されるので、その中から選択することによって指定入力元を変更することができる。
６行目の「アクティブ画面」は、現在のアクティブ画面の内容が入力元となる。
【００５７】
例えば、図１０では、「地上デジタル  ０１１」の前にチェックマーク（レ）が表示されているので、出力先名「出力３」の「指定入力元」として「地上デジタル  ０１１」が選択された状態となっており、リモコンで使用者が「地上デジタル  ０１１」を選択すると、変更先の候補が表示されるので、この中から選択すると入力元が変更される。
【００５８】
出力設定編集部１１５は、選択状態でリモコンの決定ボタンが押されたことを検知すると、設定確認画面で選択された項目の種類によって次のような処理を行って、今までの経路を切断し、出力設定情報テーブル１１４を更新し、主制御部１１へ設定完了信号を送る。
【００５９】
（１）「設定を解除する」が選択された場合：
選択されている出力系統「出力先」に対応した、「設定内容」、「信号処理系統」および「選局・受信処理系統」の内容をクリアして、出力設定情報テーブル１１４を更新する。
【００６０】
（２）「全画面」が選択された場合：
選択されている出力系統「出力先」に対応した、「設定内容」に入力元の区分として「全画面」を格納し、「信号処理系統」および「選局・受信処理系統」の内容をクリアして、出力設定情報テーブル１１４を更新する。
【００６１】
（３）「指定画面」で画面番号が選択された場合：
選択されている出力系統「出力先」に対応した、「設定内容」に入力元の区分として「指定された画面番号」を格納し、「信号処理系統」および「選局・受信処理系統」の内容をクリアして、出力設定情報テーブル１１４を更新する。
【００６２】
（４）「指定入力元」で放送局や外部入力が選択された場合：
まず、画面情報テーブル１１３および出力設定情報テーブル１１４を参照して、この指定された入力元を処理するチューナやデコーダに空きがあるかを判断する。
例えば、この判断は、画面ＸでＢＳ１０３ｃｈを視聴しているときに、出力設定画面より、出力ＹにＢＳ１０１ｃｈを指定しようとする場合、処理可能なチューナやデコーダに空きがあるかを判断する。
この判断で指定された入力元を処理できない場合には、その旨主制御部１１へ通知して、主制御部１１から表示あるいは音声によってコーションを使用者へ通知する。
一方、この判断で指定された入力元を処理できる場合には、選択されている出力系統「出力先」に対応した、「設定内容」に入力元の区分として「指定された入力元の放送局や外部入力」を格納し、「信号処理系統」や「選局・受信処理系統」にそれぞれのデコーダやチューナを格納して、出力設定情報テーブル１１４を更新する。
【００６３】
（５）「アクティブ画面」が選択された場合：
選択されている出力系統「出力先」に対応した、「設定内容」に入力元の区分として「アクティブ画面」を格納し、「信号処理系統」および「選局・受信処理系統」の内容をクリアして、出力設定情報テーブル１１４を更新する。
【００６４】
次に、本実施形態の出力設定編集の動作を図１１のフローチャートを用いて説明する。
まず、テレビジョン受信装置に電源が入れられると、電源がＯＦＦとなる前に選局されていた放送局が放送している番組を全画面に表示する（ステップＳ１１）。
使用者に電源が切られるまで、以下の処理を繰り返す（ステップＳ１２）。
【００６５】
使用者からリモコンによって、何らかの操作指示がなされるまで待ち（ステップＳ１３）、出力設定編集機能が選択されたことを検知すると、出力設定情報テーブル１１４を参照して、当該テレビジョン受信装置に接続可能な外部出力の端子にそれぞれ対応した出力先名とその設定内容を対とした出力設定一覧画面（図８参照）を当該装置の画面上に表示する（ステップＳ１４）。
【００６６】
続いて、「入力元の区分」を変更したい「出力先名」を出力設定一覧画面から使用者が選択してリモコンの変更ボタンを押したことを検知し、当該装置の画面上に図９に例示するような設定確認画面を表示する（ステップＳ１５）。
使用者からリモコンによって、変更すべき「入力元の区分」を選択して、リモコンの決定ボタンが押されたことを検知すると、今までの経路を切断し、設定確認画面で選択された項目の種類に応じて、下記のような処理を行って出力設定情報テーブル１１４を更新し（ステップＳ１６）、次の操作状況を判断するためにステップＳ１２へ戻る。
【００６７】
（１）「設定を解除する」が選択された場合：
選択された「出力先」に対応した、「設定内容」、「信号処理系統」および「選局・受信処理系統」の内容をクリアして、出力設定情報テーブル１１４を更新する。
【００６８】
（２）「全画面」が選択された場合：
選択された「出力先」に対応した、「設定内容」に入力元の区分として「全画面」を格納し、「信号処理系統」および「選局・受信処理系統」の内容をクリアして、出力設定情報テーブル１１４を更新する。
【００６９】
（３）「指定画面」で画面番号が選択された場合：
選択されている出力系統「出力先」に対応した、「設定内容」に入力元の区分として「指定された画面番号」を格納し、「信号処理系統」および「選局・受信処理系統」の内容をクリアして、出力設定情報テーブル１１４を更新する。
【００７０】
（４）「指定入力元」で放送局や外部入力が選択された場合：
まず、画面情報テーブル１１３および出力設定情報テーブル１１４を参照して、この指定された入力元を処理するチューナやデコーダに空きがあるかを判断し、指定された入力元を処理できない場合には、表示あるいは音声によってコーションを使用者へ通知する。
一方、この判断で指定された入力元を処理できる場合には、選択された「出力先」に対応した、「設定内容」に入力元の区分として「指定された入力元の放送局や外部入力」を格納し、「信号処理系統」や「選局・受信処理系統」にそれぞれのデコーダやチューナを格納して、出力設定情報テーブル１１４を更新する。
【００７１】
（５）「アクティブ画面」が選択された場合：
選択された「出力先」に対応した、「設定内容」に入力元の区分として「アクティブ画面」を格納し、「信号処理系統」および「選局・受信処理系統」の内容をクリアして、出力設定情報テーブル１１４を更新する。
【００７２】
以上のように本実施形態を構成することによって、マルチ画面機能およびチャンネル固定機能を搭載したテレビジョン受信装置において、当該装置に表示されている画面単位で、下記の５つのような出力設定が行えるので、放送局や外部入力単位等での指定を特に意識することなく操作が行えるとともに、出力先にどのような映像が出力されているのか分かりやすくなる。
（１）当該装置に表示されている全ての画面に表示される映像を対象とできる。
（２）指定画面に表示される映像を対象とできる。
（３）操作対象（アクティブ）画面に表示される映像を対象とできる。
（４）操作対象（アクティブ）画面に表示される映像の入力元（例えば、放送局や外部入力単位等）を対象とできる。
（５）一覧表示された出力設定の内容を編集できるので、テレビジョン受信装置の画面上に表示されている映像とは無関係に出力する映像を指定できる。
【００７３】
なお、本発明の実施形態は、主制御部１１や出力設定部１１０をコンピュータプログラム化し、このコンピュータプログラムを実行することでも実現され、このコンピュータプログラムを着脱可能な記録媒体に記録しておくことにより、移送が可能となり、独立した他のテレビジョン受信装置においても容易に実施することができる。
また、本発明は上述した実施形態に限定されず、本発明の要旨を逸脱しない範囲内で各種の変形、修正が可能であるのは勿論である。
【図面の簡単な説明】
【００７４】
【図１】本発明のテレビジョン受信装置に係る実施形態の内部構成を概略的に示す機能ブロック図である。
【図２】主制御部内の出力設定部の内部構成を概略的に示すブロック図である。
【図３】マルチ画面におけるサブ画面の名称付けを説明するための図である。
【図４】画面情報テーブルのデータ構造を説明するための図である。
【図５】出力設定情報テーブルのデータ構造を説明するための図である。
【図６】アクティブ画面における出力設定メニュー例である。
【図７】出力設定の動作を説明するためのフローチャートである。
【図８】出力設定一覧画面例である。
【図９】設定確認画面の構成を説明するための図である。
【図１０】設定確認画面例である。
【図１１】出力設定編集の動作を説明するためのフローチャートである。
【符号の説明】
【００７５】
１０…テレビジョン受信装置、１１…主制御部、１２…記憶部、１３…リモコン受信部、１４…入力部、１４ａ…ＴＶチューナ、１４ｂ…ＩＰ放送チューナ、１４ｃ…外部入力、１５…デコーダ、１６…出力制御部、１７…音声出力部、１８…映像出力部、１９…ＯＳＤ制御部、２０…外部出力、１１０…出力設定部、１１１…出力設定受付部、１１２…アクティブ画面記憶部、１１３…画面情報テーブル、１１４…出力設定情報テーブル、１１５…出力設定編集部。
【図１】
2008078785.tif 000003
【図２】
2008078785.tif 000004
【図３】
2008078785.tif 000005
【図４】
2008078785.tif 000006
【図５】
2008078785.tif 000007
【図６】
2008078785.tif 000008
【図７】
2008078785.tif 000009
【図８】
2008078785.tif 000010
【図９】
2008078785.tif 000011
【図１０】
2008078785.tif 000012
【図１１】
2008078785.tif 000013